(57)【要約】【課題】使用時の容量の増大化を図ることができると同時に不使用時の折り畳みが容易な洗濯ネットを提供する。【解決手段】矩形のネットシート１５が、その相対向する第１両辺１１同士が接近するように第１両辺１１に平行な折り線１３に沿って複数回ジグザグに折り畳まれ、第１両辺１１と直交する第２両辺１２がそれぞれ逢着されたネット本体１０と、ネット本体１０の第１両辺１１に沿って設けられ、第１両辺間１１を開閉するスライドファスナー２０とを備えている。【選択図】図２
2018089008.tif 000002
【特許請求の範囲】
【請求項１】
矩形のネットシートが、その相対向する第１両辺同士が接近するように該第１両辺に平行な折り線に沿って複数回ジグザグに折り畳まれ、前記第１両辺と直交する第２両辺がそれぞれ逢着されたネット本体と、
このネット本体の前記第１両辺に沿って設けられ、第１両辺間を開閉するスライドファスナーと、
を備えていることを特徴とする洗濯ネット。
【請求項２】
請求項１において、
前記折り線によって画成される複数の矩形領域のうち、前記スライドファスナーが設けられる両外側の矩形領域の、前記スライドファスナーの長手方向と直交する方向の幅が、他の矩形領域の幅よりも大きいことを特徴とする洗濯ネット。
【請求項３】
請求項１または２において、
前記第２両辺にはそれぞれ取っ手が設けられていることを特徴とする洗濯ネット。
【請求項４】
請求項３において、
前記第２両辺にはそれぞれその辺に沿う方向に補強用テープ素材が逢着され、この補強用テープ素材を、前記スライドファスナーの長手方向から見てループ状に縫製することで前記取っ手が構成されていることを特徴とする洗濯ネット。
【発明の詳細な説明】
【技術分野】
【０００１】
本発明は、洗濯ネットに関するものである。
【背景技術】
【０００２】
従来、洗濯ネットとして、例えば特許文献１に見られるような洗濯ネットが知られている。
この洗濯ネットは、使用時は略球形となるため、内部容量、すなわち内部に入れる洗濯物の量をそれなりに確保することができる。
しかしユーザーによっては、更なる容量の増加を望む声もある。
このようなユーザーの要望に応えるべく、従来の洗濯ネットで大型化を図ると、容量は大きくすることはできるものの、不使用時の収納、すなわち、折り畳んでしまっておくのに不便があるという問題が生じた。
すなわち、従来の洗濯ネットは、折り畳みにくく、特に大型化すると折り畳みにくくなるという難点があった。
【先行技術文献】
【特許文献】
【０００３】
【特許文献１】特開平９−０７５５８０号公報
【発明の概要】
【発明が解決しようとする課題】
【０００４】
本発明が解決しようとする課題は、使用時の容量の増大化を図ることができると同時に不使用時の折り畳みが容易な洗濯ネットを提供することである。
【課題を解決するための手段】
【０００５】
上記課題を解決するために本発明の洗濯ネットは、
矩形のネットシートが、その相対向する第１両辺同士が接近するように該第１両辺に平行な折り線に沿って複数回ジグザグに折り畳まれ、前記第１両辺と直交する第２両辺がそれぞれ逢着されたネット本体と、
このネット本体の前記第１両辺に沿って設けられ、第１両辺間を開閉するスライドファスナーと、
を備えていることを特徴とする。
【０００６】
この洗濯ネットは次のようにして使用することができる。
スライドファスナーを開いて第１両辺間から内部に洗濯物を入れる。
すると、ジグザグに折り畳まれていたネット本体が展開し膨張することとなる。
したがって、ネット本体を構成するネットシートの大きさに応じて使用時の容量の増大化を図ることができる。
一方、不使用時には、ネット本体の第２両辺をそれぞれ掴んで第２両辺同士を遠ざけるようにしてネット本体を引っ張る。
すると、ネット本体は前記折り線に沿って折り畳まれてコンパクトな状態となる。
以上のように、この洗濯ネットによれば、使用時の容量の増大化を図ることができると同時に不使用時の折り畳みを容易にすることができる。
【０００７】
この洗濯ネットにおいては、
前記折り線によって画成される複数の矩形領域のうち、前記スライドファスナーが設けられる両外側の矩形領域の、前記スライドファスナーの長手方向と直交する方向の幅が、他の矩形領域の幅よりも大きい構成とすることができる。
このように構成すると、他の矩形領域の折り線で形成される稜線部分とスライドファスナーのスライド軌道との間に間隔が形成されるため、スライドファスナーによるネットシートの噛みが生じ難くなる。したがって、スライドファスナーの開閉がやりやすくなる。
【０００８】
この洗濯ネットにおいては、
前記第２両辺にはそれぞれ取っ手が設けられている構成とすることができる。
このように構成すると、不使用時にネット本体を引っ張る際に、ネット本体の第２両辺に設けられた取っ手を持って引っ張りやすくなる。
【０００９】
この洗濯ネットにおいては、
前記第２両辺にはそれぞれその辺に沿う方向に補強用テープ素材が逢着され、この補強用テープ素材を、前記スライドファスナーの長手方向から見てループ状に縫製することで前記取っ手を構成することができる。
このように構成すると、ネット本体の第２両辺部分を補強用テープ素材で補強すると同時に取っ手を構成することができる。
【図面の簡単な説明】
【００１０】
【図１】本発明に係る洗濯ネットの実施の形態を示す図で、（ａ）は正面図、（ｂ）は図（ａ）におけるｂ−ｂ端面図で、口を開いた状態での概略的端面図。
【図２】（ａ）〜（ｆ）は製造工程説明図。
【図３】使用状態の斜視図。
【図４】（ａ）〜（ｄ）は取っ手の製造工程説明図。
【図５】実施例を示す図で、（ａ）は平面図、（ｂ）は正面図、（ｃ）は底面図、（ｄ）は左側面図、（ｅ）は右側面図、（ｆ）は図（ｂ）におけるＡ−Ａ断面図、（ｇ）は背面図、（ｈ）は使用状態参考斜視図、（ｉ）は図（ｇ）におけるＢ−Ｃ部分拡大図である。
【発明を実施するための形態】
【００１１】
以下、本発明に係る洗濯ネットの実施の形態について図面を参照して説明する。なお、各図において、同一部分ないし相当する部分には、同一の符号を付してある。
【００１２】
図１に示す本実施の形態の洗濯ネット１は、ネット本体１０と、このネット本体１０を開閉するスライドファスナー２０とを備えている。
【００１３】
ネット本体１０は、例えば図２（ａ）〜（ｄ）に示すように、矩形のネットシート１５が、その相対向する第１両辺１１同士が接近するように該第１両辺１１に平行な折り線１３・・・に沿って複数回ジグザグに折り畳まれ、第１両辺１１と直交する第２両辺１２、１２がそれぞれ逢着（逢着部を符号１４で示す）されて形成されている。
【００１４】
スライドファスナー２０は、図２（ｅ）に示すように、ネット本体１０の第１両辺１１に沿って設けられ、第１両辺１１間を開閉する。開閉されるネット本体１０の開口を符号１６で示す。
２１，２１はスライドファスナーのテープ、２２はスライダ、２３はスライドファスナーを閉じた際にスライダ２２を収納するゴムベルトからなるカバーである。
【００１５】
この洗濯ネットは次のようにして使用することができる。
スライドファスナー２０を開いて第１両辺１１、１１間、すなわち開口１６から内部に洗濯物（図示せず）を入れる。
【００１６】
すると、図３に示すように、ジグザグに折り畳まれていたネット本体１０が展開し膨張することとなる。
したがって、ネット本体１０を構成するネットシート１５の大きさに応じて使用時の容量の増大化を図ることができる。
【００１７】
一方、不使用時には、ネット本体１０の第２両辺１２，１２をそれぞれ掴んで第２両辺１２同士を遠ざけるようにして（図１、図３の矢印Ｘ方向に）ネット本体１０を引っ張る。
すると、ネット本体１０は折り線１３・・・に沿って折り畳まれて図１（図２（ｅ））に示すように略平板状のコンパクトな状態となる。
【００１８】
以上のように、この洗濯ネットによれば、使用時の容量の増大化を図ることができると同時に不使用時の折り畳みを容易にすることができる。
【００１９】
図２（ａ）（ｂ）に示すように、折り線１３によって画成される複数（図示のものは１６個）の矩形領域１７のうち、スライドファスナー２０が設けられる両外側の矩形領域１７ｂの、スライドファスナー２０の長手方向と直交する方向の幅Ｗ２は、他の矩形領域１７の幅Ｗ１よりも大きくなっている。
【００２０】
このように構成すると、他の矩形領域１７の折り線１３で形成される稜線部分１３ｂ（図１参照）とスライドファスナー２０のスライド軌道２４との間に間隔Ｃが形成されるため、スライドファスナー２０によるネットシート１５の噛みが生じ難くなる。したがって、スライドファスナー２０の開閉がやりやすくなる。
【００２１】
ネットシート１５の大きさや折り回数は適宜設定できる。
ただし、折り回数は３回以上として４つ以上の矩形領域１７を形成しないと、洗濯物を入れた際にネット本体１０が膨らみにくくなるので、折り回数は３回以上とする。
【００２２】
図示のものは、折り回数（折り線１３の数）を１５とし、１６個の矩形領域を形成している。また、ネットシート１５の大きさは６００×１３２０ｍｍとし、Ｗ１＝８０ｍｍ、Ｗ２＝１００ｍｍとした。
【００２３】
このような洗濯ネットは、図２に示すように、略球形に膨らませることができ、その外径Ｄは約５００ｍｍとなる。
なお、ネットシート１５の大きさを８００×１９６０ｍｍとし、Ｗ１＝１２０ｍｍ、Ｗ２＝１４０ｍｍにすると、略球形に膨らませた際の外径Ｄは約７００ｍｍとなる。
【００２４】
折り回数（折り線１３の数）は１９以下（矩形領域の個数は２０以下）とするのが望ましい、折り回数が多くなりすぎると、第２両辺１２の逢着が困難になる（針が通りにくくなる）からである。
なお、ネットシート１５は、従来の洗濯ネットに用いられている公知の素材のものを適宜採用し得る。
【００２５】
図１，図３に示すように、第２両辺１２にはそれぞれ取っ手１８が設けられている。
このように構成すると、不使用時にネット本体１０を矢印Ｘ方向（スライドファスナーの長手方向）に引っ張る際に、ネット本体１０の第２両辺１２に設けられた取っ手１８を持って引っ張りやすくなる。
【００２６】
図２（ｆ）に示すように、第２両辺１２にはそれぞれその辺１２に沿う方向に補強用テープ素材１９を逢着し、この補強用テープ素材１９を、スライドファスナー２０の長手方向から見てループ状に縫製することで前記取っ手１８を構成する。
このように構成すると、ネット本体の第２両辺１２部分を補強用テープ素材１９で補強すると同時に取っ手１８を構成することができる。
【００２７】
具体的には、図４（ａ）（ｂ）に示すように、第２両辺１２（図４においては一方のみ図示）に補強用テープ素材１９を当て、辺１２を包むように補強用テープ素材１９をその長手方向に沿って半分に折る。
その後図４（ｃ）に示すように、補強用テープ素材１９を半分にした状態で縫製すると同時に、補強用テープ素材１９を第２両辺１２に逢着する。
そして、図４（ｄ）に示すように、補強用テープ素材１９の一端１９ｃを他端１９ｂに重ねるように補強用テープ素材１９をループ状に折り曲げ、端部同士１９ｂ、１９ｃを逢着することで取っ手１８が形成される。
【００２８】
以上、本発明の実施の形態について説明したが、本発明は上記の実施の形態に限定されるものではなく、本発明の要旨の範囲内において適宜変形実施可能である。
なお、本発明に係る洗濯ネットを実際に作成した場合、その外観は図５に示すようになる。
【符号の説明】
【００２９】
１：    洗濯ネット
１０：    ネット本体
１１：    第１両辺
１２：    第２両辺
１３：    折り線
１５：    ネットシート
１７：    矩形領域
１７ｂ：  両外側の矩形領域
Ｗ１，Ｗ２：  幅
１８：    取っ手
１９：    補強用テープ素材
２０：    スライドファスナー
【図１】
2018089008.tif 000003
【図２】
2018089008.tif 000004
【図３】
2018089008.tif 000005
【図４】
2018089008.tif 000006
【図５】
2018089008.tif 000007
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
矩形のネットシートが、その相対向する第１両辺同士が接近するように該第１両辺に平行な折り線に沿って複数回ジグザグに折り畳まれてジグザグ部が形成され、前記第１両辺と直交する第２両辺がそれぞれ逢着されたネット本体と、
このネット本体の前記第１両辺に沿って設けられ、第１両辺間を開閉するスライドファスナーと、
を備え、
前記ジグザグ部は、前記スライドファスナーの片側において単一に形成されていることを特徴とする洗濯ネット。
【請求項２】
請求項１において、
前記折り線によって画成される複数の矩形領域のうち、前記スライドファスナーが設けられる両外側の矩形領域の、前記スライドファスナーの長手方向と直交する方向の幅が、他の矩形領域の幅よりも大きいことを特徴とする洗濯ネット。
【請求項３】
請求項１または２において、
前記第２両辺にはそれぞれ取っ手が設けられていることを特徴とする洗濯ネット。
【請求項４】
請求項３において、
前記第２両辺にはそれぞれその辺に沿う方向に補強用テープ素材が逢着され、この補強用テープ素材を、前記スライドファスナーの長手方向から見てループ状に縫製することで前記取っ手が構成されていることを特徴とする洗濯ネット。
【手続補正２】
【補正対象書類名】明細書
【補正対象項目名】０００５
【補正方法】変更
【補正の内容】
【０００５】
上記課題を解決するために本発明の洗濯ネットは、
矩形のネットシートが、その相対向する第１両辺同士が接近するように該第１両辺に平行な折り線に沿って複数回ジグザグに折り畳まれてジグザグ部が形成され、前記第１両辺と直交する第２両辺がそれぞれ逢着されたネット本体と、
このネット本体の前記第１両辺に沿って設けられ、第１両辺間を開閉するスライドファスナーと、
を備え、
前記ジグザグ部は、前記スライドファスナーの片側において単一に形成されていることを特徴とする。
【手続補正３】
【補正対象書類名】明細書
【補正対象項目名】００１３
【補正方法】変更
【補正の内容】
【００１３】
ネット本体１０は、例えば図２（ａ）〜（ｄ）に示すように、矩形のネットシート１５が、その相対向する第１両辺１１同士が接近するように該第１両辺１１に平行な折り線１３・・・に沿って複数回ジグザグに折り畳まれてジグザグ部が形成され、第１両辺１１と直交する第２両辺１２、１２がそれぞれ逢着（逢着部を符号１４で示す）されて形成されている。
【手続補正４】
【補正対象書類名】明細書
【補正対象項目名】００１４
【補正方法】変更
【補正の内容】
【００１４】
スライドファスナー２０は、図２（ｅ）に示すように、ネット本体１０の第１両辺１１に沿って設けられ、第１両辺１１間を開閉する。開閉されるネット本体１０の開口を符号１６で示す。
２１，２１はスライドファスナーのテープ、２２はスライダ、２３はスライドファスナーを閉じた際にスライダ２２を収納するゴムベルトからなるカバーである。
図１，図２（ｅ）に示すように、第１両辺１１に平行な折り線１３・・・に沿って複数回ジグザグに折り畳まれたジグザグ部は、スライドファスナー２０の片側において単一に形成されている。
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
矩形のネットシート（１５）が、その相対向する第１両辺（１１，１１）同士が接近するように該第１両辺（１１，１１）に平行な折り線（１３）に沿って複数回ジグザグに折り畳まれてジグザグ部が形成され、前記第１両辺（１１）に対して直交する第２両辺（１２）が互いに全て縫着されたネット本体（１０）と、
このネット本体（１０）の前記折り線（１３,１３）同士が重なった側と反対側において前記第１両辺（１１，１１）同士に縫着され、第１両辺（１１，１１）間を開閉するスライドファスナー（２０）と、
を備え、
前記ジグザグ部は、前記スライドファスナー（２０）の片側において単一に形成されていることを特徴とする洗濯ネット。
【請求項２】
請求項１において、
前記折り線（１３）によって画成される複数の矩形領域（１７）のうち、前記スライドファスナー（２０）が設けられる両外側の矩形領域（１７ｂ）の、前記スライドファスナー（２０）の長手方向と直交する方向の幅（Ｗ２）が、他の矩形領域（１７）の幅（Ｗ１）よりも大きいことを特徴とする洗濯ネット。
【請求項３】
請求項１または２において、
前記第２両辺（１２）にはそれぞれ取っ手（１８）が設けられていることを特徴とする洗濯ネット。
【請求項４】
請求項３において、
前記第２両辺（１２）にはそれぞれその辺に沿う方向に補強用テープ素材（１９）が縫着され、この補強用テープ素材（１９）を、前記スライドファスナー（２０）の長手方向から見てループ状に縫製することで前記取っ手（１８）が構成されていることを特徴とする洗濯ネット。
【手続補正２】
【補正対象書類名】明細書
【補正対象項目名】０００５
【補正方法】変更
【補正の内容】
【０００５】
上記課題を解決するために本発明の洗濯ネットは、
矩形のネットシートが、その相対向する第１両辺同士が接近するように該第１両辺に平行な折り線に沿って複数回ジグザグに折り畳まれてジグザグ部が形成され、前記第１両辺に対して直交する第２両辺が互いに全て縫着されたネット本体と、
このネット本体の前記折り線同士が重なった側と反対側において前記第１両辺同士に縫着され、第１両辺間を開閉するスライドファスナーと、
を備え、
前記ジグザグ部は、前記スライドファスナーの片側において単一に形成されていることを特徴とする。
【手続補正３】
【補正対象書類名】明細書
【補正対象項目名】０００９
【補正方法】変更
【補正の内容】
【０００９】
この洗濯ネットにおいては、
前記第２両辺にはそれぞれその辺に沿う方向に補強用テープ素材が縫着され、この補強用テープ素材を、前記スライドファスナーの長手方向から見てループ状に縫製することで前記取っ手を構成することができる。
このように構成すると、ネット本体の第２両辺部分を補強用テープ素材で補強すると同時に取っ手を構成することができる。
【手続補正４】
【補正対象書類名】明細書
【補正対象項目名】００１３
【補正方法】変更
【補正の内容】
【００１３】
ネット本体１０は、例えば図２（ａ）〜（ｄ）に示すように、矩形のネットシート１５が、その相対向する第１両辺１１同士が接近するように該第１両辺１１に平行な折り線１３・・・に沿って複数回ジグザグに折り畳まれてジグザグ部が形成され、第１両辺１１と直交する第２両辺１２、１２がそれぞれ縫着（縫着部を符号１４で示す）されて形成されている。
【手続補正５】
【補正対象書類名】明細書
【補正対象項目名】００２４
【補正方法】変更
【補正の内容】
【００２４】
折り回数（折り線１３の数）は１９以下（矩形領域の個数は２０以下）とするのが望ましい、折り回数が多くなりすぎると、第２両辺１２の縫着が困難になる（針が通りにくくなる）からである。
なお、ネットシート１５は、従来の洗濯ネットに用いられている公知の素材のものを適宜採用し得る。
【手続補正６】
【補正対象書類名】明細書
【補正対象項目名】００２６
【補正方法】変更
【補正の内容】
【００２６】
図２（ｆ）に示すように、第２両辺１２にはそれぞれその辺１２に沿う方向に補強用テープ素材１９を縫着し、この補強用テープ素材１９を、スライドファスナー２０の長手方向から見てループ状に縫製することで前記取っ手１８を構成する。
このように構成すると、ネット本体の第２両辺１２部分を補強用テープ素材１９で補強すると同時に取っ手１８を構成することができる。
【手続補正７】
【補正対象書類名】明細書
【補正対象項目名】００２７
【補正方法】変更
【補正の内容】
【００２７】
具体的には、図４（ａ）（ｂ）に示すように、第２両辺１２（図４においては一方のみ図示）に補強用テープ素材１９を当て、辺１２を包むように補強用テープ素材１９をその長手方向に沿って半分に折る。
その後図４（ｃ）に示すように、補強用テープ素材１９を半分にした状態で縫製すると同時に、補強用テープ素材１９を第２両辺１２に縫着する。
そして、図４（ｄ）に示すように、補強用テープ素材１９の一端１９ｃを他端１９ｂに重ねるように補強用テープ素材１９をループ状に折り曲げ、端部同士１９ｂ、１９ｃを縫着することで取っ手１８が形成される。